(57)【要約】【課題】中間筐体を用いて上下方向にスライドでき、かつ、スライド後に筐体を回転することのできる筐体構造を提供する。【解決手段】表示部を備える第一の筐体と操作部を備える第二の筐体とスピーカ・副表示部等の実装部品を備える第三の筐体をもつ携帯端末において、第一の筐体と第二の筐体を回転／スライド部品によって連結し、第二の筐体と第三の筐体も同様に回転スライド部品によって連結する。また、回転／スライド部品にはロック機構が備わっている。【選択図】図１
2007300310.tif 000002
【特許請求の範囲】
【請求項１】
少なくとも第一の筐体、第二の筐体、そして第三の筐体を持つ携帯型端末であり、前記第一の筐体が前記第二の筐体によりスライドし、前記第三の筐体も前記第二の筐体によりスライドすることのできる筐体構造。
【請求項２】
少なくとも第一の筐体、第二の筐体、そして第三の筐体を持つ携帯型端末であり、前記第二の筐体によりスライドされた前記第一の筐体が前記第二の筐体を支点に回転し、前記第二の筐体によりスライドされた前記第三の筐体も前記第二の筐体を支点に回転することのできる請求項１記載の筐体構造。
【請求項３】
少なくとも第一の筐体、第二の筐体、そして第三の笹体を持つ携帯型端末であり、前記第二の筐体により回転した前記第一の筐体及び、前記第三の筐体が所定の位置に停止するためのロック機構を持つ請求項１または２記載の筐体構造。
【請求項４】
少なくとも第一の筐体、第二の筐体、そして第三の筐体を持つ携帯型端末であり、前記第一の筐体と前記第三の筐体が同時にスライドしないようにロック機構を備えている請求項１ないし請求項３のいずれかに記載の筐体構造。
【発明の詳細な説明】
【技術分野】
【０００１】
本発明は携帯型端末に関し、中間筐体を用いて上下方向へのスライドを可能にし、且つスライド後に筐体を回転可能にした筐体構造に関するものである。
【背景技術】
【０００２】
従来の筐体構造は、図４に示すような折り畳み型携帯電話機が開示されている（例えば特許文献１参照）。
【０００３】
従来の筐体構造は、図４に示すように、表示部（１１０）を持つ第一の筐体（３００）、操作部（１２０）を持つ第二の筐体（２００）、そして、開閉自在に結合するヒンジ部（１３０）を持つ折り畳み型携帯電話機において、第一の筐体は、表示部ユニット（３２０）、支持部ユニット（３４０）、回転／スライド機構（４００）で構成されており、表示部ユニットに配置された一対の正面カメラ部（１７０ａ、１７０ｂ）は、表示部が縦長状態にある場合には表示部の上下に、表示部をユニットを回転／スライド機構を用いて回転・スライドすることによって表示部が縦長状態となった場合には表示部が横長状態となった場合には表示部の左右水平に位置するように作用している。
【特許文献１】特許第３１９０４３号公報（図１）
【発明の開示】
【発明が解決しようとする課題】
【０００４】
しかしながら、従来の筐体構造においては、カメラやスピーカ等を実装する場合、第一または第二の筐体に実装させる為に、配置する箇所が限定されてしまうという問題が生じる。例えば、第一の筐体の支持ユニットにスピーカが実装されている場合、表示時ユニットがスライド・回転する事により、スピーカの音孔が塞がってしまう場合が想定でき、また、そうならないようにスピーカを表示部ユニットに実装させた場合、表示部が回転する為にスピーカの音孔も一緒に回転してしまう。その結果、好適な音響効果を妨げることが考えられる。
【０００５】
本発明は、上記従来の筐体構造の課題を解決するためになされたもので、携帯型端末に第三の筐体を持たせ、前記第三の筐体にスピーカやカメラ等を実装させる事で、第一の筐体に実装された表示部がスライド・回転しても好適な位置にスピーカやカメラ等の実装部品を配置させることが出来る筐体構造を提供することを目的とする。
【課題を解決するための手段】
【０００６】
本発明の筐体構造は、少なくとも第一の筐体、第二の筐体、そして第三の筐体を持つ携帯型端末であり、第一の筐体が第二の筐体によりスライドし、第三の筐体も第二の筐体によりスライドすることのできる筐体構造の構成を有している。
【０００７】
この構成により、例として、第一の筐体がスライドする事で、第二の筐体に実装されている操作部を外部に露出させることができたり、また、第三の筐体がスライドする事で、第三の筐体に実装されているスピーカ等の部品を外部に露出させることができ、本端末のユーザーが都合により、使い分ける事を可能にすることが出来る。
【０００８】
また、本発明の筐体構造は、少なくとも第一の筐体、第二の筐体、そして第三の筐体を持つ携帯型端末であり、第二の筐体によりスライドされた第一の筐体が第二の筐体を支点に回転し、第二の筐体によりスライドされた第三の筐体も第二の筐体を支点に回転することのできる請求項１記載の筐体構造の構成を有している。
【０００９】
この構成により、例として、表示画面が実装されている第一の筐体を回転機構により、前記表示画面を縦長状態から横長状態に変更させ、第二または第三の筐体に実装されたスピーカをスライド構造により外部に露出させる事で、音声付の映像等を視聴する等の効果を可能にすることが出来る。
【００１０】
さらに、本発明の筐体構造は、少なくとも第一の筐体、第二の筐体、そして第三の筐体を持つ携帯型端末であり、第二の筐体により回転した第一の筐体及び、第三の筐体が所定の位置に停止するためのロック機構を持つ請求項１または２記載の筐体構造の構成を有している。
【００１１】
この構成により、例として、表示画面が実装されている第一の筐体を回転機構により、表示画面を縦長状態から横長状態に変更させても回転をロックさせる事で、表示画面のズレを防ぎ、且つ、第二または第三の筐体に実装されたスピーカをスライド構造により外部に露出させた状態であっても、スピーカが表示画面によって塞がれてしまうことを防ぐ事が出来ることとなる。
【００１２】
さらに、本発明の筐体構造は、少なくとも第一の筐体、策二の筐体、そして第三の筐体を持つ携帯型端末であり、第一の筐体と第三の筐体が同時にスライドしないようにロック機構を備えている請求項１ないし請求項３のいずれかに記載の筐体構造の構成を有している。
【００１３】
この構成により、例として、第二の筐体よりスライドされた第一の筐体がスピーカ等を実装する第三の筐体と不意に重なりあう事を防ぐ事ができ、ユーザーの使い勝手を向上させることが出来ることとなる。
【発明の効果】
【００１４】
本発明は、表示画面を持つ第一の筐体と操作部を持つ第二の筐体の接続部と、第二の筐体と副表示部やスピーカ等を持つ第三の筐体の接続部にスライド・回転構造を設けることにより、第一の筐体の表示画面を縦長状態から横長状態に切り替え、第三の筐体に実装されたスピーカや副表示部等をユーザーが使用したい時に使用することが出来るという効果を有する筐体構造を提供することができるものである。
【発明を実施するための最良の形態】
【００１５】
以下、本発明の実施の形態の筐体構造について、図面を用いて説明する。
【００１６】
（第１の実施の形態）
本発明の第１の実施の形態の筐体構造を図１に示す。
【００１７】
図１（ａ）から図１（ｆ）に示すように、筐体構造は、表示部２２を持つ第一の筐体１１と、操作部２３を持つ第二の筐体１２と、スピーカ・副表示部等の実装部品２４を持つ第三の筐体１３と、から構成される。図１（ｂ）に示すように、第一の筐体１１と第二の筐体１２との間にはスライド部品２１ａが設けられ、第一の筐体１１と第二の筐体１２とはスライド部品２１ａを介して連結されており、同様に、第二の筐体１２と第三の筐体１３との間にはスライド部品２１ｂが設けられ、第二の筐体１２と第三の筐体１３とはスライド部品２１ｂを介して連結されている。
【００１８】
スライド部品２１ａ、２１ｂとしてはスライドレールに嵌合しながら筐体に対してずれ移動するものが考えられる。たとえば第一の筐体１１、第二の筐体２２、第三の筐体に直線溝状のスライドレールを設け、スライドレールにスライド部品２１ａ、２１ｂを嵌合させることによって、第二の筐体１２に対して第一の筐体１１を直線的にスライドさせることができる。また、第二の筐体１２に対して第三の筐体１３を直線的にスライドさせることができる。
【００１９】
以上のように構成された筐体構造について、その動作を説明する。上記のように構成すると、第１の実施の形態の筐体構造は、第二の筐体１２が第一の筐体１１と第三の筐体とで挟み込まれて一体であり、第二の筐体１２に対して第一の筐体１１が直線的にスライドし（図１（ｃ）と図１（ｄ）に示す状態）、また第二の筐体１２に対して第三の筐体１３が直線的スライドすることができる（図１（ｅ）と図１（ｆ）に示す状態）。
【００２０】
まず、第一の筐体１１は第二の筐体１２に対して上下にスライドされると、第一の筐体１１によって隠れされていた第二の筐体１２の操作部２３が外部に露出する。また、同様に第三の筐体１３第二の筐体１２に対して上下にスライドされ、その結果、第二の筐体１２によって、隠されていた第三の筐体１３のスピーカ・副表示部等の実装部品２４を外部に露出させることができる。
【００２１】
このような本発明の第１の実施の形態の筐体構造によれば、第一の筐体１１と第二の筐体１２とをスライド部品２１ａによって連結し、また第二の筐体１２と第三の筐体１３も同様にスライド部品２１ｂによって連結しているので、携帯端末を使用しない場合には、携帯端末全体をコンパクトに収納できるという効果を有する。また、携帯端末を使用する時には、第一の筐体１１を第二の筐体１２に対してスライドさせることによって、操作部２３を外部に露出し端末の操作を行うことができ、また、第三の筐体１３を第二の筐体１２に対してスライドさせることによって、スピーカ・副表示部等の実装部２４を外部に露出させることができるので、携帯端末を用途に応じて好適に使用することができる、という効果を有する。
（第２の実施の形態）
次に、本発明の第２の実施の形態の筐体構造を示す。
【００２２】
図２（ａ）から図２（ｃ）、および図３（ａ）から図３（ｄ）に示すように、筐体構造は第一の筐体１１と第二の筐体１２とを回転機構を備えたスライド部品２１ｃ（図示しない）によって連結し、同様に第二の筐体１２と第三の筐体１３とを回転機構を備えたスライド部品２１ｄ（図示しない）により連結する構造を有している。
【００２３】
第１の実施の携帯との相違点は、スライド部品のみであり、スライド部品を用いることによる第一の筐体１１および第三の筐体１３の、第二の筐体１２に対する移動動作にある。
【００２４】
以上のように構成された筐体構造について、その動作を説明する。
【００２５】
まず、第一の筐体は上下にスライドされ、第一の筐体によって隠れされていた第二の筐体の操作部が外部に露出させることができる。また、連結されている回転機構を備えたスライド部品によって、スライドと同時に筐体の回転も行うことができ、表示部を縦長の画面から横長の画面に切りかえると共に、第二の筐体の操作部を更に外部に露出させることができる。同様に第三の筐体も上下にスライドされ、第二の筐体によって隠されていたスピーカ・副表示部等の実装部品を外部に露出させることができる。また、連結されている回転機構を備えたスライド部品によって、スライドと同時に筐体の回転も行うことができ、表示部を縦長の画面から横長の画面に切りかえると共に、第三の筐体の副実装部を更に外部に露出させることができる。
【００２６】
以上のように本発明の第２の実施の形態の筐体構造によれば、第１の実施で挙げられたスライド部品から回転機構を持つスライド部品に変えることにより、表示部を持つ第一の筐体とスピーカ・副表示部等を持つ第三の筐体をユーザーの意思で、好きなようにスライドや回転をした状態にでき、好適に端末を扱うことが可能となる。
【００２７】
尚、以上の説明では、第２の実施の形態の筐体構造について説明したが、第２の実施の形態におけるスライド機構を持つ回転部品に、筐体を約９０度等にロックする為のロック機構を備えたものにしてもよく、また、第一の筐体と第三の筐体が同時が行えない為のロック機構を備えることについても同様に実施可能である。
【産業上の利用可能性】
【００２８】
以上のように、本発明にかかる筐体構造は、表示画面を持っ第一の僅体と操作部を持つ第二の筐体の接続部と、第二の筐体と副表示部やスピーカ等を持つ第三の筐体の接続部にスライド・回転構造を設けることにより、第一の筐体の表示画面を縦長状態から横長状態に切り替え、第三の筐体に実装されたスピーカや副表示部等をユーザーが使用したい時に使用することが出来るというという効果を有し、中間筐体を用いて上下方向へのスライドを可能にし、且つスライド後に筐体を回転可能にした筐体構造が必要な携帯端末等の用途に適用できる。
【図面の簡単な説明】
【００２９】
【図１】（ａ）本発明の第１、第２の実施の形態における筐体構造の正面図、（ｂ）本発明の第１、第２の実施の形態における筐体構造の側面図、（ｃ）本発明の第１の実施の形態における管体構造の正面図（第一の筐体がスライドされた状態）、（ｄ）本発明の第１の実施の形態における筐体構造の側面図（第一の筐体がスライドされた状態）、（ｅ）本発明の第１の実施の形態における筐体構造の正面図（第三の筐体がスライドされた状態）、（ｆ）本発明の第１の実施の形態における筐体構造の側面図（第三の筐体がスライドされた状態）
【図２】（ａ）本発明の第２の実施の形態における筐体構造の斜視図、（ｂ）本発明の第２の実施の形態における筐体構造の斜視図（第一の筐体がスライドされた状態）、（ｃ）本発明の第２の実施の形態における筐体構造の斜視図（第一の筐体がスライド・回転された状態）
【図３】（ａ）本発明の第２の実施の形態における筐体構造の斜視図、（ｂ）本発明の第２の実施の形態における筐体構造の斜視図（第三の筐体がスライドされた状態）、（ｃ）本発明の第２の実施の形態における筐体構造の斜視図（第三の筐体がスライド・回転された状態）
【図４】（ａ）従来の筐体構造の開き状態での正面図、（ｂ）従来の筐体構造の開き状態での正面図（回転がなされた状態）、（ｃ）従来の筐体構造の開き状態での側面図（回転がなされた状態）
【符号の説明】
【００３０】
１１    第一の筐体
１２    第二の筐体
１３    第三の筐体
２１ａ、２１ｂ    回転機構を備えたスライド機構
２２    表示部
２３    操作部
２４    スピーカ・副表示部等の実装部品
１１０    表示部
１２０    操作部
１３０    ヒンジ部
２００    第一の筐体
３００    第二の蜜体
３２０    表示ユニット
３４０    支持ユニット
４００    回転／スライド機構
【図１】
2007300310.tif 000003
【図２】
2007300310.tif 000004
【図３】
2007300310.tif 000005
【図４】
2007300310.tif 000006